(57)【要約】【課題】折戸の美観性を損なうことなく、折戸の連結部に形成される隙間や空間等における指の挟みこみを防止し得る指詰防止具、及びこれを備えた折戸を提供する。【解決手段】複数枚の戸板１１，１３を、折り畳み支点１５ａを中心として折り畳み自在に連結した折戸１０の連結部ｃｐにおける指詰めを防止するための指詰防止具２０であって、前記折戸の連結部に上下方向に沿って介在される棒状部材２１と、該棒状部材を移動可能に支持する支持手段２４とを備え、前記棒状部材は、前記折戸の開閉に伴って、該折戸の閉動時には、前記折り畳み支点から遠ざかる方向に前記複数枚の戸板の連結部側端面１２，１４間の空間ｆｓを移動する一方、前記折戸の開動時には、前記折り畳み支点に近づく方向に前記連結部側端面間の空間を移動する構造とされている。【選択図】図１
2010031628.tif 000002
【特許請求の範囲】
【請求項１】
複数枚の戸板を、折り畳み支点を中心として折り畳み自在に連結した折戸の連結部における指詰めを防止するための指詰防止具であって、
前記折戸の連結部に上下方向に沿って介在される棒状部材と、該棒状部材を移動可能に支持する支持手段とを備え、
前記棒状部材は、前記折戸の開閉に伴って、該折戸の閉動時には、前記折り畳み支点から遠ざかる方向に前記複数枚の戸板の連結部側端面間の空間を移動する一方、前記折戸の開動時には、前記折り畳み支点に近づく方向に前記連結部側端面間の空間を移動する構造とされていることを特徴とする指詰防止具。
【請求項２】
請求項１において、
前記棒状部材は、前記折り畳み支点側の側面部が凸曲面形状とされ、該側面部が前記連結部側端面に当接して前記連結部側端面間の空間を移動する構造とされていることを特徴とする指詰防止具。
【請求項３】
請求項１または２において、
前記支持手段は、前記棒状部材を前記折り畳み支点側に向けて付勢する付勢部材と、該付勢部材に連結され、前記折戸に取付けられる支持基部とを備えていることを特徴とする指詰防止具。
【請求項４】
請求項３において、
前記支持基部は、前記複数枚の戸板の連結部側の両端面にそれぞれ取付けられる一対の支持基部とされていることを特徴とする指詰防止具。
【請求項５】
複数枚の戸板を、折り畳み支点を中心として折り畳み自在に連結した折戸であって、
当該折戸の連結部に上下方向に沿って介在された棒状部材と、該棒状部材を移動可能に支持する支持手段とを備え、
前記棒状部材は、当該折戸の開閉に伴って、閉動時には、前記折り畳み支点から遠ざかる方向に前記複数枚の戸板の連結部側端面間の空間を移動する一方、開動時には、前記折り畳み支点に近づく方向に前記連結部側端面間の空間を移動する構造とされていることを特徴とする折戸。
【請求項６】
請求項５において、
前記棒状部材は、前記折り畳み支点側の側面部が凸曲面形状とされ、該側面部が前記連結部側端面に当接して前記連結部側端面間の空間を移動する構造とされていることを特徴とする折戸。
【請求項７】
請求項５または６において、
前記支持手段は、前記棒状部材を前記折り畳み支点側に向けて付勢する付勢部材と、該付勢部材に連結され、当該折戸に取付けられた支持基部とを備えていることを特徴とする折戸。
【請求項８】
請求項７において、
前記支持基部は、前記複数枚の戸板の連結部側の両端面にそれぞれ取付けられた一対の支持基部とされていることを特徴とする折戸。
【請求項９】
請求項５乃至８のいずれか１項において、
前記複数枚の戸板の各連結部側端面には、面取り部がそれぞれ形成されており、
前記棒状部材は、当該折戸が閉止された状態で、前記戸板の面取り部間に、少なくともその一部が収容される構造とされていることを特徴とする折戸。
【請求項１０】
請求項５乃至９のいずれか１項において、
前記棒状部材は、当該折戸の上下方向長さと略同長さとされていることを特徴とする折戸。
【発明の詳細な説明】
【技術分野】
【０００１】
本発明は、折戸の連結部における指詰めを防止するための指詰防止具、及びこれを備えた折戸に関する。
【背景技術】
【０００２】
上記折戸は、例えば、クローゼット等の収納空間やキャビネット等の収納戸棚、部屋の開閉扉、或いは部屋の間仕切り用のスライドウォール（開閉壁）として使用され、複数枚の戸板を、例えば蝶番等の連結部材のヒンジピンを折り畳み支点とし、該折り畳み支点を中心として折り畳み自在に連結したものが知られている。
上記のような折戸は、閉止された状態では、複数枚の戸板が横並びに一直線に配置される。また、該折戸を開放する際には、把手等をして、ガイドレール等に沿ってスライドさせることで、開状態への移行（開動）がなされ、ガイドレールに直交する方向に向けて戸板の連結部が突出されるようにして複数枚の戸板が折り畳まれて開状態となる。
上記開状態とされた折戸を閉止する際には、把手等をして、ガイドレールに沿ってスライドさせることで閉状態への移行（閉動）がなされるが、連結された戸板間に形成される連結角（開き角）がある程度の状態（例えば、８０°〜１００°程度以上）では、折戸の上記のように突出された連結部の近傍部位を、ガイドレール側に向けて押すことによっても折戸の閉止が可能となる。
【０００３】
ところで、折戸は、上記のように蝶番等の連結部材によって各戸板が連結されているが、この連結部材によって、各戸板の連結部側の端面間には、僅かな隙間が形成される。この隙間は、連結部材の形状や配設態様等にもよるが、折戸が完全に開放された状態及び閉止された状態では、例えば、０．７ｍｍ〜１．３ｍｍ程度と比較的、小さい。しかしながら、開状態から閉状態へ移行する際、特に上述のように連結部の近傍部位を押すことによっても閉止が可能な程度の状態では、最大で例えば、４．０ｍｍ〜５．０ｍｍ程度の隙間が形成される。
この隙間は、大人の手指が挟まるような隙間ではないが、乳幼児等では該隙間に手指を挟みこんでしまう恐れがあった。このような隙間は、例えば、蝶番を戸板の取付面側（例えば背面側）に埋め込む等により、ある程度は、小さくでき、当該隙間における手指の挟みこみ（指詰め）を一応は、低減できる。
【０００４】
上述のような隙間における指詰めを防止するための他の構造としては、例えば、戸板の連結部側端面を面取りしたり、蝶番等で連結されていない部位の端面間に指詰めの生じない程の大きな隙間を形成したり、端面間に軟質部材を介在させたりしたものが提案されていた（例えば、下記特許文献１）。
これらの各構造では、折戸の連結部における指詰めを完全に防止するのは困難であり、また、見栄えも良くないものであった。
【０００５】
また、下記特許文献２では、蝶番等の連結部材により折り畳み可能に連結された複数の扉（戸板）からなる折戸において、連結された二枚の扉のうちいずれか一方の扉の、折戸の折り畳み時に他方の扉と対向する面の連結側端部に、帯状部材を固設した折戸の連結部構造が提案されている。
上記帯状部材は、連結された二枚の扉のうちいずれか一方の扉の端部の背面側で、かつ蝶番が配置されていない部分に上下方向に沿って固設されている。また、この帯状部材は、突出部を半円形とし、その半径を、蝶番の作動半径と同径としている。
これによれば、扉を開閉するときに、扉の端辺が常に突出部の外周に接するようになり、扉の連結部における隙間が、当該帯状部材の突出部によって塞がれるようになり、折戸の開閉の際に隙間ができず、指詰めを防止できる、と説明されている。
【特許文献１】実開昭６３−２３４８２号公報（図２参照）
【特許文献２】特開２００４−６８３７５号公報（図３〜図５参照）
【発明の開示】
【発明が解決しようとする課題】
【０００６】
上記特許文献２に記載された折戸の連結部構造によれば、折戸の開動時及び閉動時に、上記のように連結部材によって形成される戸板の連結部側端面間の隙間においての指詰めの防止は可能ではある。
しかしながら、複数枚の戸板の連結部側端面間には、上記のように連結部材によって形成される隙間のみならず、当該折戸の開閉に伴って、連結部側端面間に拡縮される空間が形成される。上記特許文献２に記載された折戸の連結部構造では、上記のように拡縮される空間における指詰めについての考慮はなされておらず、さらなる改善が望まれていた。すなわち、上記特許文献２に記載された折戸の連結部構造においては、折戸の閉動時に、当該空間に手指が万が一、存在すれば、閉状態への移行に伴って該端面間の幅が縮まるので、該端面間に手指を挟みこんでしまう恐れがあった。
【０００７】
また、上記特許文献２に記載された折戸の連結部構造では、折戸が完全に閉止された状態では、上記帯状部材は、背面側に位置するため、正面側から見た状態においては、折戸の美観性を阻害するようなことはない。
しかしながら、このものでは、開状態となった際、上記帯状部材が固設されていない箇所においては、蝶番が露出し、上記帯状部材が露出することと相俟って、連結部において蝶番と帯状部材とが交互に露出するような態様となり、見栄えが悪いという問題もあった。
【０００８】
本発明は、上記実情に鑑みなされたものであり、折戸の美観性を損なうことなく、折戸の連結部に形成される隙間や空間等における指の挟みこみを防止し得る指詰防止具、及びこれを備えた折戸を提供することを目的としている。
【課題を解決するための手段】
【０００９】
前記目的を達成するために、本発明に係る指詰防止具は、複数枚の戸板を、折り畳み支点を中心として折り畳み自在に連結した折戸の連結部における指詰めを防止するための指詰防止具であって、前記折戸の連結部に上下方向に沿って介在される棒状部材と、該棒状部材を移動可能に支持する支持手段とを備え、前記棒状部材は、前記折戸の開閉に伴って、該折戸の閉動時には、前記折り畳み支点から遠ざかる方向に前記複数枚の戸板の連結部側端面間の空間を移動する一方、前記折戸の開動時には、前記折り畳み支点に近づく方向に前記連結部側端面間の空間を移動する構造とされていることを特徴とする。
【００１０】
本発明に係る前記指詰防止具においては、前記棒状部材を、前記折り畳み支点側の側面部が凸曲面形状とされたものとし、該側面部が前記連結部側端面に当接して前記連結部側端面間の空間を移動する構造としてもよい。
本発明に係る前記指詰防止具においては、前記支持手段として、前記棒状部材を前記折り畳み支点側に向けて付勢する付勢部材と、該付勢部材に連結され、前記折戸に取付けられる支持基部とを備えたものとしてもよい。
上記構成とされた指詰防止具においては、前記支持基部を、前記複数枚の戸板の連結部側の両端面にそれぞれ取付けられる一対の支持基部としてもよい。
【００１１】
また、前記目的を達成するために、本発明に係る折戸は、複数枚の戸板を、折り畳み支点を中心として折り畳み自在に連結した折戸であって、当該折戸の連結部に上下方向に沿って介在された棒状部材と、該棒状部材を移動可能に支持する支持手段とを備え、前記棒状部材は、当該折戸の開閉に伴って、閉動時には、前記折り畳み支点から遠ざかる方向に前記複数枚の戸板の連結部側端面間の空間を移動する一方、開動時には、前記折り畳み支点に近づく方向に前記連結部側端面間の空間を移動する構造とされていることを特徴とする。
【００１２】
本発明に係る前記折戸においては、前記棒状部材を、前記折り畳み支点側の側面部が凸曲面形状とされたものとし、該側面部が前記連結部側端面に当接して前記連結部側端面間の空間を移動する構造としてもよい。
本発明に係る前記折戸においては、前記支持手段として、前記棒状部材を前記折り畳み支点側に向けて付勢する付勢部材と、該付勢部材に連結され、当該折戸に取付けられた支持基部とを備えたものとしてもよい。
上記構成とされた折戸においては、前記支持基部を、前記複数枚の戸板の連結部側の両端面にそれぞれ取付けられた一対の支持基部としてもよい。
【００１３】
本発明に係る前記折戸においては、前記複数枚の戸板の各連結部側端面に、面取り部がそれぞれ形成されたものとし、前記棒状部材を、当該折戸が閉止された状態で、前記戸板の面取り部間に、少なくともその一部が収容される構造としてもよい。
本発明に係る前記折戸においては、前記棒状部材を、当該折戸の上下方向長さと略同長さとされたものとしてもよい。
【発明の効果】
【００１４】
本発明に係る指詰防止具を折戸に用いることによって、以下のような効果を奏する。
すなわち、前記棒状部材は、折戸の連結部に上下方向に沿って介在されるので、該棒状部材によって、戸板間の隙間が隠蔽される。従って、折戸の美観性を向上させることができるとともに、当該隙間における指詰めを防止できる。このような棒状部材の長さは、乳幼児等の身長に合わせて、少なくとも乳幼児等の手が届く範囲の高さ以上の長さを有するものとしてもよいが、折戸の上下方向の略全長に亘って介在される長さとされたものとすれば、当該棒状部材によって、戸板間の隙間がその上下方向の全長に亘って隠蔽され、より美観性を向上させることができる。
【００１５】
また、上記指詰防止具の棒状部材は、折戸の開閉に伴って、該折戸の閉動時には、前記折り畳み支点から遠ざかる方向に前記複数枚の戸板の連結部側端面間の空間を移動する一方、前記折戸の開動時には、前記折り畳み支点に近づく方向に前記連結部側端面間の空間を移動する構造とされている。従って、折戸が開状態から閉状態へ移行する際に、戸板の連結部側端面間に形成される空間を、当該棒状部材が上記のように移動するので、当該空間に手指が存在している状態においても、該棒状部材の折り畳み支点から遠ざかる方向への移動によって、手指が該空間からはじき出されるようにして、指詰めの防止がなされる。
【００１６】
本発明に係る前記指詰防止具において、前記棒状部材を、折り畳み支点側の側面部が凸曲面形状とされたものとし、該側面部が前記連結部側端面に当接して前記連結部側端面間の空間を移動する構造とすれば、以下のような効果を奏する。
すなわち、当該指詰防止具が折戸に用いられた状態では、その棒状部材の凸曲面形状とされた側面部が連結部側端面に当接して移動するので、戸板の各連結部側端面と、棒状部材との間に隙間が形成されず、指詰めを確実に防止できる。
【００１７】
本発明に係る前記指詰防止具において、前記支持手段として、前記棒状部材を前記折り畳み支点側に向けて付勢する付勢部材と、該付勢部材に連結され、前記折戸に取付けられる支持基部とを備えたものとすれば、折り畳み支点側に向けて付勢されているので、当該棒状部材が移動する際に、戸板の各連結部側端面に当接して移動する。従って、指詰めを確実に防止できる。
上記構成においては、棒状部材の折り畳み支点から遠ざかる方向への移動は、他の手段によりなされるようにしてもよい。或いは、上述のように折り畳み支点側の側面部が凸曲面形状とされている棒状部材を採用したものとすれば、該棒状部材は、折戸の閉動に伴って徐々に狭小となる戸板の連結部側端面間の上記空間において、これら各端面に側面部の凸曲面が沿うようにして、付勢部材による折り畳み支点側への付勢力に抗して、折り畳み支点から遠ざかる方向への移動が、スムーズになされる。
【００１８】
また、上記支持基部を備えた指詰防止具において、前記支持基部を、前記複数枚の戸板の連結部側の両端面にそれぞれ取付けられる一対の支持基部とすれば、取付け対象である折戸を、例えば、半開き或いは開放させて、連結部側の両端面を手前側に露出させることで、上記支持基部を手前側から容易に折戸に取付けることができる。また、折戸が閉止された状態においては、該支持基部は、隣接する戸板の各端面間に収容された状態となるので、例えば、上記支持基部を、戸板の背面側に取付けるものと比べて、折戸の背面側の美観性を向上させることができる。
【００１９】
また、本発明に係る前記折戸は、当該折戸の連結部に上下方向に沿って介在された棒状部材と、該棒状部材を移動可能に支持する支持手段とを備えている。また、前記棒状部材は、当該折戸の開閉に伴って、閉動時には、前記折り畳み支点から遠ざかる方向に前記複数枚の戸板の連結部側端面間の空間を移動する一方、開動時には、前記折り畳み支点に近づく方向に前記連結部側端面間の空間を移動する構造とされている。
従って、本発明に係る折戸によれば、上記指詰防止具が奏する効果と同様、当該折戸の美観性を向上させることができるとともに、当該折戸の連結部における指詰めを防止することができる。
【００２０】
本発明に係る前記折戸において、前記棒状部材を、前記折り畳み支点側の側面部が凸曲面形状とされたものとし、該側面部が前記連結部側端面に当接して前記連結部側端面間の空間を移動する構造とすれば、上記同様、当該折戸の連結部における指詰めを確実に防止できる。
本発明に係る前記折戸において、前記支持手段として、前記棒状部材を前記折り畳み支点側に向けて付勢する付勢部材と、該付勢部材に連結され、当該折戸に取付けられた支持基部とを備えたものとすれば、上記同様、当該折戸の連結部における指詰めを確実に防止できる。
また、上記支持基部を備えた折戸において、前記支持基部を、前記複数枚の戸板の連結部側の両端面にそれぞれ取付けられた一対の支持基部とすれば、上記同様、当該折戸に手前側から容易に取付けることができるとともに、折戸の背面側の美観性を向上させることができる。
【００２１】
本発明に係る前記折戸において、前記複数枚の戸板の各連結部側端面に、面取り部がそれぞれ形成されたものとし、前記棒状部材を、当該折戸が閉止された状態で、前記戸板の面取り部間に、少なくともその一部が収容される構造とすれば、連結部における棒状部材の突出量が小さくなり、美観性に優れた折戸となる。
【００２２】
本発明に係る前記折戸において、前記棒状部材を、当該折戸の上下方向長さと略同長さとされたものとすれば、当該棒状部材によって、戸板間の隙間がその上下方向の全長に亘って隠蔽され、より美観性を向上させることができる。
【発明を実施するための最良の形態】
【００２３】
以下に本発明の最良の実施の形態について、図面に基づいて説明する。
図１は、第１実施形態に係る指詰防止具を備えた折戸の一例を模式的に示す概略横断面図、及び一点鎖線内を拡大して示す概略横断面図である。
図２（ａ）、（ｂ）は、いずれも同折戸の指詰防止構造を説明するための説明図であり、（ａ）は、図１におけるＸ１部に対応する箇所を拡大して示す概略横断面図、（ｂ）は、（ａ）の状態から折戸がさらに閉動された状態を示す概略拡大横断面図である。
図３（ａ）、（ｂ）は、いずれも同折戸の指詰防止構造を説明するための説明図であり、（ａ）は、図２（ｂ）の状態から折戸がさらに閉動された状態を示す概略拡大横断面図、（ｂ）は、図１におけるＸ２部に対応する箇所を拡大して示す概略横断面図である。
図４（ａ）、（ｂ）は、いずれも同折戸を示し、（ａ）は、図１におけるＹ１から見た一部破断概略正面図、（ｂ）は、図１におけるＹ２から見た一部破断概略背面図である。
【００２４】
尚、以下の各実施形態では、施工された状態における折戸の把手等の操作具が設けられた面側、すなわち、折り畳まれた際に戸板の連結部がガイドレールに直交する方向に向けて突出する空間側を手前側とし、その逆を背面側として説明する。つまり、後記する各実施形態のように、当該折戸がクローゼット等の収納空間の開閉扉として施工された場合においては、室内空間（居住空間）側にて折戸に対面して該折戸の開閉をする使用者が存在する空間が手前側となり、収納空間側が背面側となる。
【００２５】
本実施形態に係る折戸１０は、図１に示すように、大略的に、２枚の戸板１１，１３と、該戸板１１，１３を、折り畳み自在に連結する連結部材１５と、該連結部材１５によって連結された戸板１１，１３の連結部ｃｐに設けられた指詰防止具２０とを備えている。
上記折戸１０は、本実施形態では、図１に示すように、建物の室内空間（居住空間）ＬＳと、収納空間ＳＳとの間を仕切る内壁１に開設された開口部ｏｐを、２組の折戸１０，１０によって閉塞或いは開放するクローゼット用の開閉扉を構成している。
【００２６】
上記各折戸１０は、開口部ｏｐに設けられた四方枠（上枠（不図示）、下枠２、縦枠３，３）内に配置され、上枠の上レール（不図示）及び下枠２の下レール２ａに開閉自在に支持されている。
上記２枚の戸板１１，１３のうち、一方はスライド不能とされた固定戸板１１とされ、他方はスライド可能とされた可動戸板１３とされている。すなわち、戸板１１の枢軸１１ａは、縦枠３の近傍において、回動自在、スライド不能に、上枠及び下枠２に支持されており、戸板１３の枢軸１３ａは、上レール及び下レール２ａに沿ってスライド可能、回動自在に、上枠及び下枠２に支持されている。これら戸板をスライド可能とする構成は、公知のランナー（転動体、走行体等）やピボット等を採用するようにしてもよい。
尚、図において、符号１６は、戸板１３に設けられた操作具としての把手（取っ手）である。また、上記固定戸板１１もスライド可能な構成としてもよい。
【００２７】
また、上記戸板１１，１３の連結部ｃｐ側の端面１２，１４は、その手前側部がＣ面取り加工等によって形成された面取り部１２ａ，１４ａとされている。これら面取り部１２ａ，１４ａの形状は、折戸１０が閉止され、各面取り部１２ａ，１４ａが互いに対向された状態で、平面視して手前側（室内空間ＬＳ側）に向けて拡開する形状とされている。
上記連結部材１５は、本実施形態では、ヒンジピン１５ａと、該ヒンジピン１５ａを支点として折り畳み自在とされた一対の取付ハネ１５ｂ，１５ｂを有した蝶番１５とされている。すなわち、本実施形態では、上記ヒンジピン１５ａが、戸板１１，１３の折り畳み支点を構成する。
該蝶番１５は、図４（ｂ）に示すように、各戸板１１，１３の連結部ｃｐ近傍の背面に、それぞれの取付ハネ１５ｂ，１５ｂを木ねじ等によって止着させることで、固着されている。これら蝶番１５は、連結部ｃｐの上下方向に沿って適所に複数個（図例では３個）設けられている。
【００２８】
上記構成とされた折戸１０は、図１において左方に位置する折戸１０のように、二枚の戸板１１，１３を横並びに一直線とした状態が、閉状態とされ、図１において右方に位置する折戸１０のように、二枚の戸板１１，１３を手前側（上レール及び下レール２ａに直交する方向）に向けて連結部ｃｐを突出させるようにして折り畳んだ状態が、開状態とされる。
また、図１において右方に位置する折戸１０を二点鎖線で示した状態は、上記閉状態から開状態への移行（開動）の途中、或いは上記開状態から閉状態への移行（閉動）の途中の状態と、閉状態とを示している。
上記折戸１０の開動及び閉動は、把手１６をしてなされるが、上記閉動の際において、連結された各戸板１１，１３の背面のなす角θ（開き角θ）が、例えば、８０°〜１００°程度以上の状態では、折戸１０の連結部ｃｐ近傍部位を、手前側（室内空間ＬＳ側）から背面側（収納空間ＳＳ側）に向けて押すことによっても折戸１０の閉動（以下、押圧閉動と略す）が可能とされている。
【００２９】
上記のように、折戸１０の開動及び閉動がなされる際、上記戸板１１，１３の各連結部側端面１２，１４間には、後記するように折戸１０の開閉に伴って、拡大及び縮小される扇状の空間ｆｓ（図２及び図３も参照）が形成される。
この折戸１０の開閉に伴って拡縮される扇状の空間ｆｓに、上記折戸１０の開動時及び閉動時に背面側及び手前側に向けて移動する指詰防止具２０の棒状部材２１が介在される。
【００３０】
上記指詰防止具２０は、図１の一点鎖線内の拡大図に示すように、大略的に、上記折戸１０の連結部ｃｐに上下方向に沿って介在され、かつ、蝶番１５の手前側に介在された棒状部材２１と、該棒状部材２１を移動可能に支持する支持手段２４とを備えている。
上記棒状部材２１は、本実施形態では、図例のように、長尺中空円筒状とされており、当該棒状部材２１の手前側部２２及び背面側部２３のいずれも、凸曲面形状とされている。
すなわち、本実施形態では、棒状部材２１は、ヒンジピン１５ａ側の側面部となる背面側部２３が凸曲面形状とされている。
【００３１】
上記凸曲面形状とされた背面側部２３の形状は、図例のような横断面が半円形状とされたものに限られない。例えば、上記押圧閉動が可能となる開き角θとされた状態から完全に閉止されるまで、該背面側部２３が、各戸板１１，１３の上記端面１２，１４（面取り部１２ａ，１４ａも含む）に常に当接するような形状としてもよい。
また、該棒状部材２１は、図４（ａ）に示すように、折戸１０の上下方向長さと略同長さとされている。
【００３２】
また、上記棒状部材２１の横幅は、図２（ａ）に示すような最大幅となった状態における上記端面１２，１４間（各端面１２，１４の背面側縁部間）に形成される隙間ｇの幅よりも、少なくとも大とされている。また、本実施形態では、該棒状部材２１の横幅は、上記折戸１０が閉止された状態で上記面取り部１２ａ，１４ａ間（各面取り部１２ａ，１４ａの手前側縁部間）の幅と略同幅或いは、やや大とされた幅とされている。
上記のような棒状部材２１の形状や大きさは、後記するように、棒状ゴム体（付勢部材）２５による背面側への付勢と、折戸１０の閉動に伴う戸板１１，１３の連結部側端面１２，１４の近接作用とによってなされる当該棒状部材２１の移動が可能となるよう、戸板１１，１３の厚さや面取り部の形状等に合わせて、適宜、設計すればよい。
【００３３】
棒状部材２１を上記のような形状とし、戸板１１，１３に面取り部１２ａ，１４ａを形成することにより、図３（ｂ）に示すように、折戸１０が閉止された状態では、該棒状部材２１は、その略半分が上記面取り部１２ａ，１４ａ間の空間に収容される構造となる。これにより、棒状部材２１の手前側への突出量が、例えば、戸板の各連結部側端面に面取り形状が形成されていない折戸とされたものに比べて、小さくなり、折戸１０の美観性が向上される。
【００３４】
上記棒状部材２１は、例えば、金属材や硬質の合成樹脂材からなるものとしてもよい。
上記金属材としては、スチールや炭素鋼、ステンレス鋼、アルミニウム、アルミニウム合金等、どのようなものでもよいが、鋼鉄材等と比べて、比較的軽量かつ安価であるアルミニウムからなるものとしてもよい。このようにアルミ材からなるものとすることにより、シルバー調の色調となり、戸板１１，１３間に配された状態で美観性に優れたものとなる。
【００３５】
上記支持手段２４は、少なくとも押圧閉動が可能となる状態から、当該折戸１０の閉動がなされて閉止されるまで、上記棒状部材２１を常時、背面側（ヒンジピン１５ａ側）に向けて付勢する棒状ゴム体（付勢部材）２５と、該棒状ゴム体２５に連結され、折戸１０に取付けられた固定ゴム板（支持基部）２７とを備えている。
上記支持手段２４は、図４（ｂ）に示すように、連結部ｃｐの上下方向に沿って適所に複数個（図例では３個）設けられている。
上記棒状ゴム体２５は、上記棒状部材２１の背面側部２３に開設された挿通孔等に挿通されて、その基端部が棒状部材２１に固定され、背面側に向けて棒状に延出しており、他端部が固定ゴム板２７の挿通孔に挿通されて、止具２６によって固定されている。
【００３６】
上記棒状ゴム体２５は、上記折戸１０の押圧閉動が可能となる状態（図２（ａ）参照）において、少なくとも自然長の状態で、上記棒状部材２１の背面側部２３を、各戸板１１，１３の各端面１２，１４に当接させ得る長さとされている。また、該棒状ゴム体２５は、折戸１０が完全に閉止された状態（図３（ｂ）参照）で、後記するように手前側に移動された状態の上記棒状部材２１を支持可能なように、その弾性変形を伴う伸長が可能とされている。
上記固定ゴム板２７は、隙間ｇを跨ぐように架け渡されて、各戸板１１，１３の連結部ｃｐ近傍の背面に、木ねじ等の止着具２８，２８によって止着されている（図２及び図３も参照）。尚、上記棒状ゴム体２５に連結される支持基部としては、上記のような固定ゴム板２７に限られず、該棒状ゴム体２５を支持可能で、折戸１０に取付け可能なものであればどのようなものでもよい。また、棒状ゴム体２５の形状も棒状に限られず、上記隙間ｇに挿通可能な薄板状のものとしてもよい。
【００３７】
上記構成とされた指詰防止具２０によれば、既設の折戸１０に対しても後付け可能となる。例えば、棒状ゴム体２５が取付けられた棒状部材２１を、折戸１０の蝶番１５の手前側に介在させ、その棒状ゴム体２５を上記隙間ｇに挿通し、該棒状ゴム体２５の上記他端部を、固定ゴム板２７の上記挿通孔に挿通させて止具２６によって固定する。次いで、固定ゴム板２７を、各戸板１１，１３の背面に止着具２８，２８によって固定することで、既設の折戸１０に取付けるようにしてもよい。
【００３８】
次に、図２及び図３に基づいて、折戸１０の閉動時及び開動時における当該折戸１０の指詰防止構造について説明する。
まず、図２（ａ）に示すように、押圧閉動が可能となる状態において、棒状部材２１は、その背面側部２３を、各戸板１１，１３の各端面１２，１４の背面側近傍に当接させて、自然長或いは弾性変形を伴い伸長された上記棒状ゴム体２５によって支持されている。
上記状態から、折戸１０の連結部ｃｐ近傍部位の戸板１１，１３の手前側面を、背面側に向けて押す、或いは、把手１６をして折戸１０をスライドさせることにより、図２（ｂ）に示すように、各戸板１１，１３の上記端面１２，１４間に形成された扇状の空間ｆｓが、当該閉動に伴って徐々に小さくなる。このように、空間ｆｓが小さくなるに従い、各戸板１１，１３の各端面１２，１４間が徐々に近接する。この近接に伴い、上記棒状部材２１は、上記棒状ゴム体２５の背面側への付勢力に抗して、凸曲面形状とされた背面側部２３が各端面１２，１４を滑るようにして、各端面１２，１４間の空間ｆｓを手前側に向けて移動する。すなわち、棒状部材２１がヒンジピン１５ａから遠ざかる方向に移動する。
【００３９】
上記状態からさらなる閉動がなされると、図３（ａ）に示すように、棒状部材２１は、各戸板１１，１３の各端面１２，１４の面取り部１２ａ，１４ａ間を、上記同様、手前側に向けて移動する。
また、上記状態からさらなる閉動がなされると、図３（ｂ）に示すように、折戸１０は、完全に閉止された状態となる。この状態では、棒状部材２１は、その背面側部２３の略全体が、各戸板１１，１３の面取り部１２ａ，１４ａ間に形成された空間に収容された状態で、棒状ゴム体２５によって支持されている。
つまり、上記のように、指詰防止具２０は、その棒状部材２１が折戸１０の閉動に伴って、ヒンジピン１５ａから遠ざかるようにして、手前側にせり出される構造とされている。
【００４０】
一方、折戸１０が完全に閉止された図３（ｂ）に示す状態から、当該折戸１０を開動させる際には、把手１６（図１参照）を、手前側かつ固定側の戸板１１側に向けて引くことで、開動がなされる。
この折戸１０の開動がなされる際には、その開動に伴い、上記棒状部材２１は、上記棒状ゴム体２５によって、閉止された状態から少なくとも押圧閉動が可能となる状態までは、常時、背面側に向けて付勢されているので、各戸板１１，１３の各端面１２，１４の面取り部１２ａ，１４ａ間（図３（ａ）参照）、及び各戸板１１，１３の各端面１２，１４間（図２（ｂ）、（ａ）参照）を、順次、背面側に向けて移動する。すなわち、ヒンジピン１５ａに近づく方向に移動する。
図２（ａ）に示す状態から、上記折戸１０が完全に開放された状態では、図１の一点鎖線内の拡大図に示すように、棒状部材２１の背面側部２３は、蝶番１５のヒンジピン１５ａに当接し、背面側への移動が規制されている。尚、このように完全に開放された状態で、ヒンジピン１５ａに規制されるものとせず、各戸板１１，１３の各端面１２，１４の背面側近傍に当接して規制されるものとしてもよい。
【００４１】
以上のように、本実施形態に係る指詰防止具２０を備えた折戸１０によれば、棒状部材２１が折戸１０の連結部ｃｐに上下方向に沿って、蝶番１５の手前側に介在されているので、手前側から見た状態では、該棒状部材２１によって、戸板１１，１３間の隙間ｇが隠蔽されるとともに蝶番１５も隠蔽される。従って、折戸１０の美観性を効果的に向上することができるとともに、上記隙間ｇにおける指詰めを防止できる。
特に、本実施形態では、上記棒状部材２１の長さを、折戸１０の上下方向の略全長に亘って介在される長さとしているので、当該棒状部材２１によって、戸板１１，１３間の隙間ｇ及び蝶番１５の全てが隠蔽され、より美観性が向上される。
【００４２】
さらに、上記指詰防止具２０の棒状部材２１は、上述のように、折戸１０の開閉に伴って、該折戸１０の閉動時には、戸板１１，１３の端面１２，１４間の空間ｆｓを手前側に向けて移動する一方、該折戸１０の開動時には、端面１２，１４間の空間ｆｓを背面側に向けて移動する構造とされている。従って、折戸１０の閉動がなされる際に、戸板１１，１３の端面１２，１４間に形成される扇状の上記空間ｆｓを、当該棒状部材２１が手前側に向けて移動するので、当該空間ｆｓに手指が存在している状態においても、該棒状部材２１の手前側への移動によって、手指が該空間ｆｓからはじき出されるようにして、指詰めの防止がなされる。
換言すれば、このような棒状部材２１が設けられていないものでは、上記空間ｆｓが閉動に伴い狭小となるに従って、戸板の連結部側端面が互いに近接し、この空間に閉動時に手指が存在すると、手指が挟みこまれてしまう恐れがあるが、本実施形態によれば、そのような恐れを防止できる。
【００４３】
また、本実施形態では、上記棒状部材２１は、少なくとも押圧閉動が可能となる状態から、当該折戸１０の閉動がなされて閉止されるまで、その背面側部２３が各戸板１１，１３の各端面１２，１４に当接して、上述のように手前側及び背面側に向けて移動する構造とされているので、各戸板１１，１３の各端面１２，１４と、棒状部材２１との間に隙間が形成されず、指詰めを確実に防止できる。
さらに、上記棒状部材２１の手前側及び背面側への移動は、上記棒状ゴム体２５による背面側への付勢と、折戸１０の閉動に伴う各戸板１１，１３の各端面１２，１４の近接作用によりなされる構成としているので、指詰防止具２０の構成を、簡易な構造とできる。
【００４４】
次に、本発明に係る他の実施の形態について、図面を参照しながら説明する。
図５（ａ）、（ｂ）は、いずれも第２実施形態に係る指詰防止具を備えた折戸を示し、それぞれ図４に対応させた図である。
尚、上記第１実施形態との相違点は、主に指詰防止具の構成であり、同様の構成については、同一符号を付し、その説明を省略或いは簡略に説明する。
【００４５】
本実施形態に係る折戸１０Ａが備える指詰防止具２０Ａは、図５（ａ）に示すように、その棒状部材２１Ａを、折戸１０Ａの上下方向長さの略全長に亘って介在されたものとせず、床面近傍の当該折戸１０Ａの下端部から高さｈまでの長さとされたものとしている。
この棒状部材２１Ａの長さは、適宜、設定可能であるが、例えば、少なくとも乳幼児等の手が届く範囲以上の長さとしてもよい。
また、図５（ｂ）に示すように、上記棒状部材２１Ａの長さに合わせて、本実施形態では、上記同様の支持手段２４を、連結部ｃｐの上下方向に沿って二箇所に設けている。
このような態様によれば、指詰防止具２０Ａを低コストのものとできる。
【００４６】
次に、本発明に係る更に他の実施の形態について、図面を参照しながら説明する。
図６（ａ）、（ｂ）は、いずれも第３実施形態に係る指詰防止具を備えた折戸を示し、（ａ）は、図２（ａ）に対応させた図、（ｂ）は、図３（ｂ）に対応させた図である。
尚、上記第１実施形態との相違点は、主に指詰防止具の構成であり、同様の構成については、同一符号を付し、その説明を省略或いは簡略に説明する。
【００４７】
本実施形態に係る折戸１０Ｂが備える指詰防止具２０Ｂは、図６（ａ）に示すように、その棒状部材２１Ｂ及び支持手段２４Ａの構成が、上記第１実施形態で説明した指詰防止具２０とは異なる。
上記棒状部材２１Ｂは、その手前側部２２Ａが略平端面とされ、背面側部２３が凸曲面形状とされた断面形状が略半円形状の長尺中空筒状とされている。
この棒状部材２１Ｂは、図６（ｂ）に示すように、折戸１０Ｂが閉止された状態では、上記第１実施形態で説明した棒状部材２１と同様、その背面側部２３が戸板１１，１３の面取り部１２ａ，１４ａ間の空間に収容される構造となる。
また、上記のように手前側部２２Ａを略平端面とすることで、上記第１実施形態で説明した棒状部材２１に比べて、上記面取り部１２ａ，１４ａ間の空間に収容された状態における手前側への突出量がより小さくなり、美観性に優れたものとなる。
【００４８】
また、上記支持手段２４Ａは、少なくとも押圧閉動が可能となる状態から、当該折戸１０Ａの閉動がなされて閉止されるまで、上記棒状部材２１Ｂを常時、背面側（ヒンジピン１５ａ側）に向けて付勢する引張りバネ（付勢部材）２５Ａと、該引張りバネ２５Ａの一端部に連結され、折戸１０Ｂに取付けられたバネ取付片（支持基部）２７Ａとを備えている。
上記棒状部材２１Ｂの背面側部２３の適所には、挿通孔が開設されており、該挿通孔には、上記引張りバネ２５Ａの他端部に連結される紐状部材２９が挿通されて、その基端部が棒状部材２１Ｂに固定されている。
また、上記引張りバネ２５Ａのバネ取付片２７Ａは、戸板１１の連結部ｃｐ近傍の背面に、木ねじ等の止着具２８Ａによって止着されている。尚、該バネ取付片２７Ａは、戸板１３側に取付けるようにしてもよい。
或いは、各戸板１１，１３の背面側のそれぞれに、高さを異ならせて、引張りバネ２５Ａ及びそのバネ取付片２７Ａを取付けるようにしてもよい。これによれば、両側から支持できるので、上記棒状部材２１Ｂを安定して支持できる。
【００４９】
上記引張りバネ２５Ａ及び紐状部材２９は、上記同様、折戸１０Ｂの押圧閉動が可能となる状態において、引張りバネ２５Ａが少なくとも自然長とされた状態で、上記棒状部材２１Ｂの背面側部２３を、各戸板１１，１３の各端面１２，１４に当接させ得る長さとされている。また、該引張りバネ２５Ａは、折戸１０Ｂが完全に閉止された状態（図６（ｂ）参照）で、上記同様に手前側に移動された状態の上記棒状部材２１Ｂを、紐状部材２９を介して支持可能なように、その弾性変形を伴う伸長が可能とされている。
【００５０】
上記構成とされた指詰防止具２０Ｂによれば、上記第１実施形態で説明した指詰防止具２０と同様の効果を奏する。
尚、本実施形態に係る指詰防止具２０Ｂの棒状部材２１Ｂの上下方向に沿う長さは、上記第１実施形態と同様、折戸１０Ｂの上下方向長さと略同長さとしてもよく、或いは、上記第２実施形態のような長さとしてもよい。
また、本実施形態に係る支持手段２４Ａに代えて、上記第１実施形態で説明した支持手段２４を採用するようにしてもよい。
【００５１】
次に、本発明に係る更に他の実施の形態について、図面を参照しながら説明する。
図７（ａ）は、第４実施形態に係る指詰防止具を備えた折戸を示し、図７（ｂ）は、第５実施形態に係る指詰防止具を備えた折戸を示し、それぞれ図３（ｂ）に対応させた図である。
尚、上記第１実施形態との相違点は、主に指詰防止具の棒状部材の構成であり、同様の構成については、同一符号を付し、その説明を省略或いは簡略に説明する。
【００５２】
図７（ａ）に示す第４実施形態に係る指詰防止具２０Ｃを備えた折戸１０Ｃは、その棒状部材２１Ｃの構成が上記各実施形態とは異なる。
上記棒状部材２１Ｃは、断面形状が、背面側に向けて先細り形状の等脚台形状とされた長尺中空筒状とされている。
この棒状部材２１Ｃは、図７（ａ）に示すように、折戸１０Ｃが閉止された状態で、台形の下底となる略平端面とされた、その手前側部２２Ｂが、各戸板１１，１３の手前側面と略面一となるよう構成されている。すなわち、本実施形態では、棒状部材２１Ｃは、折戸１０Ｃが閉止された状態で、棒状部材２１Ｃの背面側部２３Ａを含んで、その略全体が、戸板１１，１３の面取り部１２ａ，１４ａ間の空間に収容される構造とされている。
これにより、折戸１０Ｃの美観性をより効果的に向上させることができる。
【００５３】
図７（ｂ）に示す第５実施形態に係る指詰防止具２０Ｄを備えた折戸１０Ｄは、その棒状部材２１Ｄの構成が上記各実施形態とは異なる。
上記棒状部材２１Ｄは、断面形状が、背面側に向けて先細り形状の二等辺三角形状（或いは正三角形状）とされた長尺中空筒状とされている。
この棒状部材２１Ｄは、図７（ｂ）に示すように、折戸１０Ｄが閉止された状態で、三角形の一辺となる略平端面とされた、その手前側部２２Ｃが、各戸板１１，１３の手前側面よりも背面側に没するよう構成されている。すなわち、本実施形態では、棒状部材２１Ｄは、折戸１０Ｄが閉止された状態で、棒状部材２１Ｄの背面側部２３Ｂを含んで、その全体が、戸板１１，１３の面取り部１２ａ，１４ａ間の空間に収容される構造とされている。
これにより、折戸１０Ｄの美観性をより効果的に向上させることができる。
【００５４】
尚、上記第４実施形態及び第５実施形態では、各棒状部材２１Ｃ，２１Ｄを移動可能に支持する支持手段を、上記第１実施形態と同様の支持手段２４としているが、上記第３実施形態で説明した支持手段２４Ａを採用するようにしてもよい。
また、上記第４実施形態及び第５実施形態に係る各指詰防止具の棒状部材の上下方向に沿う長さは、上記第１実施形態と同様、各折戸の上下方向長さと略同長さとしてもよく、或いは、上記第２実施形態のような長さとしてもよい。
【００５５】
さらに、上記各実施形態では、指詰防止具の棒状部材を少なくとも押圧閉動が可能となる状態から、折戸の閉動がなされて閉止されるまで、常時、背面側に向けて付勢する付勢部材を、棒状ゴム体２５又は引張りバネ２５Ａとしたが、これに限られず、渦巻きバネ（ゼンマイ）、板バネ等としてもよい。
さらにまた、折戸の上端部及び下端部に棒状部材を支持する支持手段の支持基部を取付けるようにしてもよい。
【００５６】
次に、本発明に係る更に他の実施の形態について、図面を参照しながら説明する。
図８は、第６実施形態に係る指詰防止具を説明するための一部分解概略斜視図、図９及び図１０は、いずれも同指詰防止具を備えた折戸を示し、図９（ａ）は、図１における一点鎖線内拡大図に対応させた図、図９（ｂ）は、図２（ｂ）に対応させた図、図１０（ａ）は、図３（ａ）に対応させた図、図１０（ｂ）は、図３（ｂ）に対応させた図である。
尚、図８においては、連結部材（蝶番）の図示を省略しており、また、一方の戸板のみを図示している。
また、上記第１実施形態との相違点は、主に指詰防止具の構成であり、同様の構成については、同一符号を付し、その説明を省略或いは簡略に説明する。
【００５７】
本実施形態に係る折戸１０Ｅが備える指詰防止具２０Ｅは、図８に示すように、その棒状部材２１Ｅ及び支持手段３０の構成が、上記第１実施形態で説明した指詰防止具２０とは異なる。
上記棒状部材２１Ｅは、長尺中空円筒状とされており、その長手方向の適所には、複数箇所（図例では、２箇所）に、小径段部３１が形成されている。また、該棒状部材２１Ｅの上端部には、ピン部材３５の上端ピン部３５ａが嵌入される係止凹部３４が設けらており、また、その下端部には、下端ピン部３６が設けられている。
尚、上記係止凹部３４を雌ネジ部とし、上記ピン部材３５の上端ピン部３５ａに雄ネジ部を設けて、螺合させる態様としてもよい。
【００５８】
上記支持手段３０は、上記各実施形態とは異なり、本実施形態では、大略的に、上記長尺状とされた棒状部材２１Ｅの上下端部を支持する上下の支持プレート３７，３８と、該棒状部材２１Ｅの中間部位を支持する紐状ゴム体（付勢部材）３２とを備えている。
上記上下の支持プレート３７，３８は、それぞれ、一方の戸板（図例では、可動戸板）１３の上端面及び下端面にそれぞれの一側辺部が、木ねじ等の止着具３９によって固着されており、中央部及び他側辺部側には、上記棒状部材２１Ｅに設けられた上端ピン部３５ａ及び下端ピン部３６が挿通される長孔３７ａ，３８ａがそれぞれ開設されている。
上記長孔３７ａ，３８ａは、当該折戸１０Ｅの開閉に伴って、上記同様に、背面側及び手前側に移動される棒状部材２１Ｅの移動軌跡に対応させて、その上端ピン部３５ａ及び下端ピン部３６が、これら長孔３７ａ，３８ａに沿って移動可能なよう、手前側端部の略中央部から、上記他側辺部側の背面側端部に亘って、外方に向けて凸状に湾曲した湾曲形状とされている。
【００５９】
上記紐状ゴム体３２は、上記棒状部材２１Ｅに形成された小径段部３１に、その前面側から巻回されるように、かつ、隣接する戸板１１，１３の両端面１２，１４間に架け渡されるように設けられており（図９（ａ）も参照）、該紐状ゴム体３２の両端部には、支持リング（支持基部）３３，３３がそれぞれ設けられている。該支持リング３３，３３に、木ねじ等の止着具３９を挿通し、各戸板１１，１３の各端面１２，１４に固着することで、上記紐状ゴム体３２の取付けがなされる。
上記のように、棒状部材２１Ｅに小径段部３１を形成し、紐状ゴム体３２を該小径段部３１に嵌め込むようにして配置させているので、後記するように、当該折戸１０Ｅの開閉がなされる際に、各戸板１１，１３の面取り部１２ａ，１４ａを含む端面１２，１４への棒状部材２１Ｅの背面側部２３の当接を阻害することがない。
【００６０】
上記紐状ゴム体３２は、上記同様、折戸１０Ｅの押圧閉動が可能となる状態において、少なくとも自然長とされた状態で、上記棒状部材２１Ｅの背面側部２３を、各戸板１１，１３の各端面１２，１４に当接させ得る長さとされている。また、該紐状ゴム体３２は、折戸１０Ｅが完全に閉止された状態（図１０（ｂ）参照）で、上記同様に手前側に移動された状態の上記棒状部材２１Ｅを支持可能なように、その弾性変形を伴う伸長が可能とされている。
【００６１】
上記構成とされた本実施形態に係る指詰防止具２０Ｅを、折戸１０Ｅに取付ける際には、例えば、上下の支持プレート３７，３８を、上記戸板１３の上端面及び下端面にそれぞれ取付ける。次いで、上記棒状部材２１Ｅの下端ピン部３６を、下支持プレート３８の長孔３８ａに挿通し、さらに、上端部の係止凹部３４と、上支持プレート３７の長孔３７ａとを整合させた状態で、上記ピン部材３５の上端ピン部３５ａを、上記係止凹部３４に嵌入する。
次いで、上記紐状ゴム体３２を、上記棒状部材２１Ｅの前面側から巻回するように小径段部３１に配置するとともに、その両端部に設けられた上記支持リング３３，３３に止着具３９を挿通し、各戸板１１，１３の各端面１２，１４に固着して取付けるようにしてもよい。このような紐状ゴム体３２及び棒状部材２１Ｅによれば、当該折戸１０Ｅを、例えば、半開き或いは開放させて、連結部ｃｐ側の各端面１２，１４を手前側に露出させることで、手前側から容易に取付けることができる。
【００６２】
尚、上記したような上端ピン部３５ａを有したピン部材３５及び下端ピン部３６に代えて、鉛直方向外方に向けて付勢され、該外方に向けて出没自在とされたピンによって構成するようにしてもよい。これによれば、上記ピン部材３５のように、棒状部材２１Ｅを吊持するように支持することはできないものの、手前側から嵌め込むようにして棒状部材２１Ｅの上下端部を上下の支持プレート３７，３８に取付けることができ、より容易に組み付けることができる。
また、図では、上下の支持プレート３７，３８を、上記戸板１３の上端面及び下端面にそれぞれ止着具３９によって固着させた態様を例示しているが、このような態様とせず、それぞれに背面側に折り返すようにした取付片を設け、該取付片に設けた挿通孔に止着具等を挿通し、戸板１３の背面に固着させるようにしてもよい。これによれば、既設の折戸に対しても、上下の支持プレート３７，３８の取付けを容易に行える。
【００６３】
次に、図９及び図１０に基づいて、折戸１０Ｅの閉動時及び開動時における当該折戸１０Ｅの指詰防止構造について説明する。
図９（ａ）に示すように、当該折戸１０Ｅが完全に開放された状態では、上記棒状部材２１Ｅは、上記紐状ゴム体３２によって背面側に向けて付勢されており、その背面側部が蝶番１５のヒンジピン１５ａに当接し、また、その上下端部は、上下の支持プレート３７，３８（図８も参照）によって支持されている。また、この状態では、該棒状部材２１Ｅの上端ピン部３５ａ（図８参照）及び下端ピン部３６が、それぞれ上下の支持プレート３７，３８の各長孔３７ａ，３８ａの背面側端部近傍に位置している（図８も参照）。
【００６４】
上記のように、当該折戸１０Ｅが開放された状態から、閉動がなされる際には、図２及び図３に基づいて説明した上記第１実施形態と同様、図９（ｂ）及び図１０に示すように、少なくとも押圧閉動が可能となる状態から閉止がなされるまで、以下のように棒状部材２１Ｅの移動がなされる。
すなわち、当該折戸１０Ｅの閉動に伴って、上記空間ｆｓが小さくなるに従い、各戸板１１，１３の各端面１２，１４間が徐々に近接し、この近接に伴い、上記棒状部材２１Ｅは、上記紐状ゴム体３２の背面側への付勢力に抗して、凸曲面形状とされた背面側部２３が各端面１２，１４を滑るようにして、各端面１２，１４間の空間ｆｓを手前側に向けて移動する。すなわち、棒状部材２１Ｅがヒンジピン１５ａから遠ざかる方向に移動する。
また、この閉動の際、該棒状部材２１Ｅの上端ピン部３５ａ（図８参照）及び下端ピン部３６が、それぞれ上下の支持プレート３７，３８の各長孔３７ａ，３８ａに沿って移動する（図８も参照）。完全に閉止された状態では、図１０（ｂ）に示すように、該棒状部材２１Ｅの上端ピン部３５ａ（図８参照）及び下端ピン部３６は、それぞれ上下の支持プレート３７，３８の各長孔３７ａ，３８ａの手前側端部近傍に位置している（図８も参照）。
また、完全に閉止された状態では、上記紐状ゴム体３２の上記支持リング３３，３３は、各戸板１１，１３の対面した各端面１２，１４間に収容された状態となる。
【００６５】
一方、折戸１０Ｅが完全に閉止された図１０（ｂ）に示す状態から、当該折戸１０Ｅを開動させる際には、把手１６（図１参照）を、手前側かつ固定側の戸板１１側に向けて引くことで、開動がなされる。
この折戸１０Ｅの開動がなされる際には、その開動に伴い、上記棒状部材２１Ｅは、上記紐状ゴム体３２によって、閉止された状態から少なくとも押圧閉動が可能となる状態までは、常時、背面側に向けて付勢されているので、各戸板１１，１３の各端面１２，１４の面取り部１２ａ，１４ａ間（図１０（ａ）参照）、及び各戸板１１，１３の各端面１２，１４間（図９（ｂ）参照）を、順次、背面側に向けて移動する。すなわち、ヒンジピン１５ａに近づく方向に移動する。
【００６６】
上記構成とされた指詰防止具２０Ｅによれば、上記第１実施形態で説明した指詰防止具２０と同様の効果を奏する。
また、本実施形態係る指詰防止具２０Ｅによれば、棒状部材２１Ｅの上下を支持する上下の支持プレート３７，３８を備えているので、上記各実施形態と比べて、より強固に棒状部材２１Ｅを支持することができる。
さらに、本実施形態に係る指詰防止具２０Ｅによれば、上記支持リング３３，３３を手前側から容易に折戸１０Ｅに取付けることができる。
さらにまた、折戸１０Ｅが閉止された状態においては、該支持リング３３，３３は、隣接する戸板１１，１３の各端面１２，１４間に収容された状態となるので、例えば、上記支持リング３３，３３を、各戸板１１，１３の背面側に取付けるものと比べて、当該折戸１０Ｅの背面側の美観性を向上させることができる。
【００６７】
尚、本実施形態では、上記紐状ゴム体３２を、一本の紐状のゴム体を、棒状部材２１Ｅの前面側から上記小径段部３１に嵌め込み、各戸板１１，１３の各端面１２，１４間に架け渡すようにして配置した態様を例示しているが、このような態様に限られない。例えば、棒状部材２１Ｅに、小径段部３１を形成せずに、背面側の適所に上記第１実施形態と同様の挿通孔を開設し、該挿通孔に二本の紐状ゴム体を固着するような態様としてもよい。
また、本実施形態では、上記紐状ゴム体３２の両端部の支持リング３３，３３を、各戸板１１，１３の各端面１２，１４の略同高さに取付けた態様としているが、高さを異ならせて各端面１２，１４に取付けるようにしてもよい。
【００６８】
次に、本発明に係る更に他の実施の形態について、図面を参照しながら説明する。
図１１（ａ）は、第７実施形態に係る指詰防止具を備えた折戸を示し、図１１（ｂ）は、第８実施形態に係る指詰防止具を備えた折戸を示し、それぞれ図１０（ｂ）に対応させた図である。
尚、上記第６実施形態との相違点は、主に指詰防止具の構成であり、同様の構成については、同一符号を付し、その説明を省略或いは簡略に説明する。
【００６９】
図１１（ａ）に示す第７実施形態に係る指詰防止具２０Ｆを備えた折戸１０Ｆは、その支持手段３０Ａの構成が上記第６実施形態とは異なる。
すなわち、本実施形態では、紐状ゴム体３２Ａを、上記第６実施形態にて説明した紐状ゴム体３２よりも長尺のものとし、その両端部の支持リング３３，３３を、各戸板１１，１３の背面側に止着具３９，３９によって、それぞれ固着している。
このような態様によっても、上記第６実施形態に係る指詰防止具２０Ｅに比べて、手前側からの取付け性及び背面側の美観性については劣るものの上記第６実施形態に係る指詰防止具２０Ｅと同様の効果を奏する。
【００７０】
図１１（ｂ）に示す第８実施形態に係る指詰防止具２０Ｇを備えた折戸１０Ｇは、その棒状部材２１Ｆ及び支持手段３０Ｂの構成が上記第６実施形態とは異なる。
本実施形態に係る指詰防止具２０Ｇが備える棒状部材２１Ｆは、背面側の適所に、後記する巻き取り体（付勢部材）３２Ｂを取付け固定するための取付け凹所３１Ａを長手方向に沿って複数箇所に設けている。
また、上記支持手段３０Ｂは、上記取付け凹所３１Ａに取付け固定された渦巻きバネ（ゼンマイ）からなる巻き取り体３２Ｂと、該巻き取り体３２Ｂに連結された紐状部材３２Ｂａとを備えている。
【００７１】
上記巻き取り体３２Ｂは、渦巻き状に巻回された中心側の端部を上記取付け凹所３１Ａに設けられた固定軸等に固着して固定されている。また、該巻き取り体３２Ｂの外周側の端部には、上記紐状部材３２Ｂａの一端部が連結されている。
また、上記紐状部材３２Ｂａの他端部には、上記同様の支持リング３３が設けられている。
上記巻き取り体３２Ｂは、各戸板１１，１３用に、棒状部材２１Ｆの長手方向に沿って高さを異ならせて二個が配置されて一組とされている。すなわち、固定戸板１１用の巻き取り体３２Ｂの外周側の端部には、固定戸板１１の端面１２に支持リング３３を介して取付け固定される紐状部材３２Ｂａの一端部が連結される一方、可動戸板１３用の巻き取り体３２Ｂの外周側の端部には、可動戸板１３の端面１４に支持リング３３を介して取付け固定される紐状部材３２Ｂａの一端部が連結される。
【００７２】
上記巻き取り体３２Ｂは、上記同様、折戸１０Ｇの押圧閉動が可能となる状態において、少なくともほぼ無負荷の自然状態で、上記棒状部材２１Ｆの背面側部２３を、各戸板１１，１３の各端面１２，１４に当接させ得る構成とされている。また、該巻き取り体３２Ｂは、折戸１０Ｇが完全に閉止された状態で、上記同様に手前側に移動された状態の上記棒状部材２１Ｆを支持可能なように、その弾性変形を伴う伸長、すなわち、上記取付け凹所３１Ａからの繰出し（引出し）が可能とされている。
このような態様によっても上記第６実施形態に係る指詰防止具２０Ｅと同様の効果を奏する。
【００７３】
尚、本実施形態では、上記第６実施形態と同様、支持リング３３，３３を各戸板１１，１３の各端面１２，１４にそれぞれ固着した態様としているが、紐状部材３２Ｂａ，３２Ｂａを長尺にして、上記第７実施形態に係る指詰防止具２０Ｆと同様、支持リング３３，３３を、各戸板１１，１３の背面側に止着具３９，３９によって、それぞれ固着するような態様としてもよい。
また、上記巻き取り体３２Ｂに代えて、引張りバネを上記棒状部材２１Ｆの内部に収容、或いは背面側に取付けるような態様としてもよい。
【００７４】
また、上記第６実施形態乃至第８実施形態では、円筒形状の棒状部材を例示しているが、上記第３実施形態乃至第５実施形態にて説明した各棒状部材を、上記第６実施形態乃至第８実施形態に、適宜、変形して適用することも可能である。
さらに、上記第６実施形態乃至第８実施形態では、上記第１実施形態と同様、各棒状部材が各折戸の上下長さと略同長さとされたものについて例示しているが、上記第２実施形態のように、その長さを短くしたものとしてもよい。この場合は、例えば、上記下支持プレート３８のみを設けるようにしてもよい。
【００７５】
さらにまた、上記第６実施形態乃至第８実施形態では、各棒状部材の支持手段として、上下の支持プレートを設けた例を示しているが、上下の支持プレートのうちのいずれか一方のみを設けるようにしてもよい。
また、上記第６実施形態乃至第８実施形態では、上下の支持プレートに、棒状部材の上下端ピン部がそれぞれ挿通される長孔を設けた態様を例示しているが、例えば、ピン部を備えない棒状部材とし、また、長孔を形成していない平板状の下支持プレートとして、棒状部材が下支持プレートに摺動するようにして移動、支持されるような態様としてもよい。
【００７６】
或いは、上記第６実施形態乃至第８実施形態においては、上記した中間部位を支持するもののみによって支持手段を構成してもよい。このように中間部位を支持するもののみによって支持手段を構成した場合にも、上記紐状ゴム体や巻き取り体を構成する渦巻きバネ（ゼンマイ）の付勢力を強いものとすることで、各棒状部材の支持は可能である。また、紐状ゴム体のものでは、上記棒状部材の小径段部に引っ掛けるようにして支持可能であり、また、巻き取り体のものでは、上記取付け凹所に巻き取り体が固定支持されているので、該巻き取り体に連結された紐状部材によって棒状部材の支持が可能となる。
【００７７】
また、上記第６実施形態乃至第８実施形態にて説明した上下の支持プレート３７，３８のうちの少なくともいずれか一方を、上記第１実施形態乃至第５実施形態に係る指詰防止具に適用するようにしてもよい。この場合は、各指詰防止具が備える各棒状部材を適宜、変形して適用すればよい。
【００７８】
尚、上記各実施形態では、指詰防止具の支持手段として、少なくとも押圧閉動が可能となる状態から、折戸の閉動がなされて閉止されるまで、棒状部材を常時、背面側に向けて付勢する付勢部材と、該付勢部材に連結され、折戸に取付けられる支持基部とを備えた支持手段を例示したが、これに限られず、上記各棒状部材を、上述のように折戸の開閉に伴って、背面側及び手前側に向けて移動可能に支持するものとすればよい。例えば、上記したような付勢部材に代えて、磁気の吸引力により棒状部材を常時、背面側に向けて吸引するような態様としてもよい。
【００７９】
或いは、折戸の開閉に伴って、背面側及び手前側に棒状部材を移動させる手段を、上記付勢部材に代えて（或いは加えて）、他の機械的・電気的手段によってなすようにしてもよい。例えば、ギア、カム、リンク機構、シリンダ等の機械的手段（機械式アクチュエータ）やソレノイド、モータ等の電気的手段（電気式アクチュエータ）、或いはこれら機械的手段と電気的手段とを組み合わせたもの等によって、上記棒状部材を、折戸の開閉に伴って、上記背面側及び手前側に移動させるようにしてもよい。
また、このような棒状部材の移動の際に、上記各実施形態では、少なくとも押圧閉動が可能となる状態から閉止されるまで、棒状部材の背面側部が戸板の連結部側端面に当接して移動する態様を例示しているが、このような態様に限られず、該棒状部材の背面側部が、戸板の連結部側端面に近接して移動する態様としてもよい。
【００８０】
さらに、上記各実施形態では、各折戸を、クローゼット用の開閉扉に適用した例を示したが、これに限られず、例えば、キャビネット等の収納戸棚や各種部屋の開閉扉、或いは部屋の間仕切り用のスライドウォール（開閉壁）としても適用可能である。
さらにまた、上記各実施形態では、折戸を構成する複数枚の戸板として、二枚からなるものを例示しているが、３枚以上の戸板からなるものとしてもよい。この場合は、上記した各指詰防止具を、折戸の開閉の際に戸板のスライド方向とは直交する方向に突出される連結部に、少なくとも設けるようにしてもよい。
また、各戸板を連結する連結部材も蝶番に限らず、各戸板を、折り畳み支点を中心として折り畳み自在に連結するものであればどのようなものでもよい。また、折り畳み支点は、各戸板が折り畳まれる際に形成される仮想的な支点としてもよい。
さらに、上記各実施形態では、各戸板の連結部側端面に、面取り部を形成したものを例示しているが、面取り部が形成されていないものとしてもよい。この場合は、上記各棒状部材は、折戸が閉止された状態では、平面視して、その略全体が手前側に突出されたような態様となる。
【００８１】
さらにまた、指詰防止具が備える棒状部材の形状も上記した形状に限られず、他の形状としてもよい。例えば、横断面形状が長円形状、楕円形状、平板形状等としてもよく、また、折戸が閉止された状態において当該棒状部材の略全体が面取り部間に収容されずに手前側に露出する構造のものとしてもよい。
また、上記各実施形態では、各折戸が完全に開放された状態において、隣接する戸板の各背面が略平行となるまで開放されていない状態を図示しているが、各背面が略平行となるまで開放されるものにも各指詰防止具を取付け可能なことは言うまでもない。この場合において、上記戸板の背面側に取付けられる支持基部及び背面側に位置する付勢部材を備えたものでは、完全に開放された状態における戸板の背面間に収容可能な程度の大きさのものとすればよい。
【図面の簡単な説明】
【００８２】
【図１】本発明に係る指詰防止具の一実施形態を備えた折戸の一例を模式的に示す概略横断面図、及び一点鎖線内を拡大して示す概略横断面図である。
【図２】（ａ）、（ｂ）は、いずれも同折戸の指詰防止構造を説明するための説明図であり、（ａ）は、図１におけるＸ１部に対応する箇所を拡大して示す概略横断面図、（ｂ）は、（ａ）の状態から折戸がさらに閉動された状態を示す概略拡大横断面図である。
【図３】（ａ）、（ｂ）は、いずれも同折戸の指詰防止構造を説明するための説明図であり、（ａ）は、図２（ｂ）の状態から折戸がさらに閉動された状態を示す概略拡大横断面図、（ｂ）は、図１におけるＸ２部に対応する箇所を拡大して示す概略横断面図である。
【図４】（ａ）、（ｂ）は、いずれも同折戸を示し、（ａ）は、図１におけるＹ１から見た一部破断概略正面図、（ｂ）は、図１におけるＹ２から見た一部破断概略背面図である。
【図５】（ａ）、（ｂ）は、いずれも本発明に係る指詰防止具の他の実施形態を備えた折戸の一例を示し、それぞれ図４に対応させた図である。
【図６】（ａ）、（ｂ）は、いずれも本発明に係る指詰防止具の更に他の実施形態を備えた折戸の一例を示し、（ａ）は、図２（ａ）に対応させた図、（ｂ）は、図３（ｂ）に対応させた図である。
【図７】（ａ）、（ｂ）は、いずれも本発明に係る指詰防止具の更に他の実施形態を備えた折戸の一例をそれぞれ示し、それぞれ図３（ｂ）に対応させた図である。
【図８】本発明に係る指詰防止具の更に他の実施形態を説明するための一部分解概略斜視図である。
【図９】（ａ）、（ｂ）は、いずれも同指詰防止具を備えた折戸を示し、（ａ）は、図１における一点鎖線内拡大図に対応させた図、（ｂ）は、図２（ｂ）に対応させた図である。
【図１０】（ａ）、（ｂ）は、いずれも同指詰防止具を備えた折戸の一例を示し、（ａ）は、図３（ａ）に対応させた図、（ｂ）は、図３（ｂ）に対応させた図である。
【図１１】（ａ）、（ｂ）は、いずれも本発明に係る指詰防止具の更に他の実施形態を備えた折戸の一例をそれぞれ示し、それぞれ図１０（ｂ）に対応させた図である。
【符号の説明】
【００８３】
１０，１０Ａ，１０Ｂ，１０Ｃ，１０Ｄ      折戸
１０Ｅ，１０Ｆ，１０Ｇ                    折戸
１１，１３                                戸板
１２，１４                                連結部側端面
１２ａ，１４ａ                            面取り部（連結部側端面の面取り部）
１５ａ                                    蝶番のヒンジピン（折り畳み支点）
２０，２０Ａ，２０Ｂ，２０Ｃ，２０Ｄ      指詰防止具
２０Ｅ，２０Ｆ，２０Ｇ                    指詰防止具
２１，２１Ａ，２１Ｂ，２１Ｃ，２１Ｄ      棒状部材
２１Ｅ，２１Ｆ                            棒状部材
２３                                      棒状部材の背面側部（折り畳み支点側の側面部）
２４，２４Ａ                              支持手段
２５                                      棒状ゴム体（付勢部材）
２５Ａ                                    引張りバネ（付勢部材）
２７                                      固定ゴム板（支持基部）
２７Ａ                                    バネ取付片（支持基部）
３０，３０Ａ、３０Ｂ                      支持手段
３２，３２Ａ                              紐状ゴム体（付勢部材）
３２Ｂ                                    巻き取り体（付勢部材）
３３                                      支持リング（支持基部）
ｃｐ                                      連結部
ｆｓ                                      連結部側端面間の空間
【図１】
2010031628.tif 000003
【図２】
2010031628.tif 000004
【図３】
2010031628.tif 000005
【図４】
2010031628.tif 000006
【図５】
2010031628.tif 000007
【図６】
2010031628.tif 000008
【図７】
2010031628.tif 000009
【図８】
2010031628.tif 000010
【図９】
2010031628.tif 000011
【図１０】
2010031628.tif 000012
【図１１】
2010031628.tif 000013